(57)【要約】    【課題】  休暇の申請及び休暇の承認が円滑に出来ると共に、休暇承認者に休暇が承認されたことや休暇の理由等を他者に対して掲示できる掲示用用紙を発行する休暇申請システムを提供する。    【解決手段】  サーバー装置２と、休暇申請者端末３と、休暇承認者端末４と、印字装置６とがネットワーク７を介して接続され、休暇承認者が休暇承認者端末３で休暇申請者からの休暇申請を承認すると、印字装置６で、掲示用用紙を発行できるようになる。【選択図】  図１
2008276417.tif 000002
【特許請求の範囲】
【請求項１】
サーバー装置と、印字物を印字する印字装置と、休暇申請者が休暇を申請するための情報である休暇申請情報を入力する休暇申請者端末と、休暇承認者が使用する前記休暇申請情報を表示する休暇承認者端末とがネットワークで接続された休暇申請システムであって、
前記サーバー装置は、休暇申請者の氏名と、休暇申請者に対応する休暇承認者の氏名等を記憶したテーブルデーターと、
前記休暇申請情報を入力するための休暇申請情報入力画面を前記休暇申請者端末に表示する入力画面表示手段と、
少なくとも前記休暇申請情報入力画面によって入力された前記休暇申請情報を前記休暇承認者端末に表示する休暇申請情報表示手段と、
休暇を承認するか否かを前記休暇承認者端末の入力により選択する休暇承認選択手段と、
前記休暇承認者が前記休暇申請情報を承認したことを表示した印字物を発行するための印字物データーを生成する印字物データー生成手段と、
前記印字物データーを印字装置に送信する通信手段と、を具備することを特徴とする休暇申請システム。
【請求項２】
前記テーブルデーターは、休暇申請者の社員番号、氏名、似顔絵、役職、所属部署名、所属グループ名、及び休暇申請者に対応する休暇承認者の氏名、役職、似顔絵を前記サーバー装置に記憶したことを特徴とする請求項１記載の休暇申請システム。
【請求項３】
前記入力画面表示手段は、休暇申請情報として、有給休暇等の休暇種別、休暇申請者の氏名、社員番号、所属部署名、所属グループ名、休暇の期間、休暇の理由を前記休暇申請者端末から入力する項目を有することを特徴とする請求項１記載の休暇申請システム。
【請求項４】
前記休暇申請情報表示手段は、有給休暇等の休暇種別、休暇申請者の氏名、社員番号、所属部署名、所属グループ名、似顔絵及び休暇の期間、休暇の理由を前記休暇承認者端末に表示することを特徴とする請求項１記載の休暇申請システム。
【請求項５】
前記印字物データーは、有給休暇等の休暇種別、休暇申請者の氏名、社員番号、所属部署名、所属グループ名、休暇の期間、似顔絵及び休暇申請者に対応する休暇承認者の氏名、休暇申請者に対応する休暇承認者の似顔絵、休暇承認者が休暇を承認したことを示すメッセージの情報であることを特徴とする請求項１記載の休暇申請システム。
【請求項６】
前記サーバー装置に、前記休暇申請情報入力画面によって入力された前記休暇申請情報と、休暇を承認するか否かを前記休暇承認者端末の入力により選択する休暇承認選択項目と、を前記休暇承認者端末に表示する承認選択表示手段を有することを特徴とする請求項１記載の休暇申請システム。
【請求項７】
前記サーバー装置に、前記休暇申請情報入力画面で前記休暇申請情報を入力後に前記休暇申請情報が入力されたことを前記休暇承認者端末に通知する通知手段を有することを特徴とする請求項１記載の休暇申請システム。
【請求項８】
前記サーバー装置に、前記休暇承認選択手段に休暇を承認しなかった時に、前記休暇承認者端末に休暇を承認しなかった理由である却下理由を入力する却下理由入力画面を表示する却下理由入力画面表示手段を有することを特徴とする請求項１記載の休暇申請システム。
【請求項９】
前記サーバー装置に、前記却下理由入力画面によって入力された前記却下理由を前記休暇申請者端末に表示する却下理由表示手段を有することを特徴とする請求項６記載の休暇申請システム。
【発明の詳細な説明】
【技術分野】
【０００１】
本発明は、休暇申請者が休暇承認者に休暇を申請するシステムに係り、詳しくは休暇承認者が休暇を承認後に休暇が承認されたことを示す掲示用の用紙を発行する休暇申請システムに関する。
【背景技術】
【０００２】
従来、会社や学校等の休暇申請システムとして、休暇申請者が使用する休暇申請者端末と、休暇承認者が使用する休暇承認者端末と、サーバー装置とがネットワークを介して接続され、休暇申請者が休暇申請者端末で休暇申請の情報を入力することによって休暇を申請し、その休暇申請に対して休暇承認者が承認するか否かを休暇承認者端末を使用して選択するシステムがあった。
【０００３】
しかしながら、従来の休暇申請システムは、休暇申請が休暇承認者によって承認されたとしても、休暇申請者と休暇承認者の間でしか休暇が承認されたことを知ることが困難であり、よって、例えば会社や学校等で休暇申請者と休暇承認者以外の者（以後、他者とする。）から休暇を取得することに対して理解が得られない等の問題を生ずることがあった。
【０００４】
【特許文献１】特開２００２−３３４１８６
【特許文献２】特開平０５−２７４５０８
【発明の開示】
【発明が解決しようとする課題】
【０００５】
本発明は、上記のような問題点に着目してなされたものであって、休暇の申請及び休暇の承認が円滑に出来ると共に、休暇承認者に休暇が承認されたことや休暇の理由等を他者に対して掲示できる休暇申請システムを提供することを目的とする。
【課題を解決するための手段】
【０００６】
本発明に係る休暇申請システムは、サーバー装置と、印字物を印字する印字装置と、休暇申請者が休暇を申請するための情報である休暇申請情報を入力する休暇申請者端末と、休暇承認者が使用する前記休暇申請情報を表示する休暇承認者端末とがネットワークで接続された休暇申請システムであって、前記サーバー装置は、休暇申請者の氏名と、休暇申請者に対応する休暇承認者の氏名等を記憶したテーブルデーターと、前記休暇申請情報を入力するための休暇申請情報入力画面を前記休暇申請者端末に表示する入力画面表示手段と、少なくとも前記休暇申請情報入力画面によって入力された前記休暇申請情報を前記休暇承認者端末に表示する休暇申請情報表示手段と、休暇を承認するか否かを前記休暇承認者端末の入力により選択する休暇承認選択手段と、前記休暇承認者が前記休暇申請情報を承認したことを表示した印字物を発行するための印字物データーを生成する印字物データー生成手段と、前記印字物データーを印字装置に送信する通信手段と、を具備することを特徴とする。
また、テーブルデーターは、休暇申請者の氏名、社員番号、所属部署名、所属グループ名、似顔絵、及び休暇申請者に対応する休暇承認者の氏名、休暇申請者に対応する休暇承認者の似顔絵を前記サーバー装置に記憶することもできる。
また、入力画面表示手段は、休暇申請情報として、有給休暇等の休暇種別、休暇申請者の氏名、社員番号、所属部署名、所属グループ名、休暇の期間、休暇の理由を前記休暇申請者端末から入力する項目を有することができる。
また、休暇申請情報表示手段は、有給休暇等の休暇種別、休暇申請者の氏名、社員番号、所属部署名、所属グループ名、似顔絵及び休暇の期間、休暇の理由を前記休暇承認者端末に表示することができる。
また、印字物データーは、有給休暇等の休暇種別、休暇申請者の氏名、社員番号、所属部署名、所属グループ名、休暇の期間、似顔絵及び休暇申請者に対応する休暇承認者の氏名、休暇申請者に対応する休暇承認者の似顔絵、休暇承認者が休暇を承認したことを示すメッセージの情報であることができる。
また、サーバー装置に、前記休暇申請情報入力画面によって入力された前記休暇申請情報と、休暇を承認するか否かを前記休暇承認者端末の入力により選択する休暇承認選択項目と、を前記休暇承認者端末に表示する承認選択表示手段を有することができる。
また、サーバー装置に、前記休暇申請情報入力画面で前記休暇申請情報を入力後に前記休暇申請情報が入力されたことを前記休暇承認者端末に通知する通知手段を有するができる。
また、サーバー装置に、前記休暇承認選択手段に休暇を承認しなかった時に、前記休暇承認者端末に休暇を承認しなかった理由である却下理由を入力する却下理由入力画面を表示する却下理由入力画面表示手段を有することができる。
また、サーバー装置に、前記却下理由入力画面によって入力された前記却下理由を前記休暇申請者端末に表示する却下理由表示手段を有することができる。
【発明の効果】
【０００７】
本発明に係る休暇申請システムは、サーバー装置と、印字物を印字する印字装置と、休暇申請者が休暇を申請するための情報である休暇申請情報を入力する休暇申請者端末と、休暇承認者が使用する前記休暇申請情報を表示する休暇承認者端末とがネットワークで接続されており、このシステムによって休暇の申請及び休暇の承認が円滑に出来ると共に、休暇承認者に休暇が承認されたことや休暇の理由等を他者に対して掲示できる掲示用用紙を発行し、休暇申請者が他者から理解され休暇を取得することを促進できる。
【発明を実施するための最良の形態】
【０００８】
以下、本発明に係る休暇申請システムの実施の形態を図面に基づいて詳細に説明する。
【０００９】
図１は、本発明に係る休暇申請システムの実施の形態の構成を示すシステム構成図である。図２は、サーバー装置に記憶されたテーブルデーターの構成を示すデーター図である。図３は、本発明に係る休暇申請システムの動作を説明するためのフローチャートである。図４は、休暇申請情報を入力する画面例を示す図である。図５は、休暇申請情報の閲覧及び休暇承認選択項目を選択する画面例を示す図である。図６は、掲示用用紙を発行するか否か選択する画面例を示す図である。図７は、却下理由を入力する画面例を示す図である。図８は、却下理由を閲覧する画面例を示す図である。図９は、掲示用用紙を示す平面図である。図１０は、掲示用用紙の別の実施の形態を示す平面図である。
【００１０】
図１を参照すると、休暇申請システム１は、サーバー装置２と、休暇を申請する休暇申請者が使用する休暇申請者端末３と、休暇を承認するか否かを決定する休暇承認者が使用する休暇承認者端末４と、休暇が承認されたことを示す後述する掲示用用紙（５、７５）（印字物）を印字する印字装置６とがネットワーク７を介して接続している。
休暇申請者端末３及び休暇承認者端末４は、後述する休暇申請情報入力画面や休暇承認選択画面等を表示するディスプレイ等の表示部（１０、１１）と、各種入力に使用するキーボードやマウス等の入力部（１４、１５）と、サーバー装置等との通信や表示部（１０、１１）の制御、入力部（１４、１５）の制御等各種の処理を行う端末本体（１８、１９）と、を有する。
【００１１】
サーバー装置２は、ネットワーク環境において、休暇申請者が休暇申請者端末３で、休暇申請情報を入力することや申請された休暇申請情報を休暇承認者端末４に表示すること等の本休暇承認システムの記憶し、動作するコンピューターであって、少なくとも各種の制御を行う図示しないＣＰＵと、各種の制御プログラムを記憶しており、この制御プログラムをＲＡＭに展開する図示しないＲＯＭと、ＣＰＵが動作する上で必要となる各種データーを記憶する図示しないＲＡＭと、後述するテーブルデーターや画面等を記憶する図示しないハードディスクと、を有する。
【００１２】
印字装置６は、前記休暇申請情報を承認したことを表示した掲示用用紙（５、７５）を発行するプリンタであって、休暇承認者が休暇申請情報を休暇承認端末４の表示部１１で閲覧し、休暇承認端末４で承認することを入力するとサーバー装置２で掲示用用紙データーを生成し、印字装置に送信する。サーバー装置２から掲示用用紙データーを受信すると掲示用用紙（５、７５）を発行する。
なお、印字装置６は、インクジェットプリンタであっても、トナープリンタであっても、サーマルプリンタであっても良い。
【００１３】
テーブルデーター２２は、図２に示すように、会社や学校等の複数の休暇申請者の社員番号（学籍番号）２５、休暇申請者の氏名２６、休暇申請者の似顔絵２７、役職２８、所属の部署２９、所属のグループ３０、休暇申請者に対応した休暇承認依頼者の氏名３１、休暇承認者の役職３２、休暇申請者に対応した休暇承認者の似顔絵３３をテーブルデーター状に構成し、サーバー装置２に記憶している。
例えば、テーブルデーター２２で休暇申請者の社員番号２５を検索すると、休暇申請者の氏名２６、役職２８、部署２９、休暇承認者に対応した休暇承認者の氏名３１が抽出されるものとする。
また、休暇申請者及び休暇承認者の氏名（２６、３１）の項目は、姓と名とを分けて記憶している。
テーブルデーター２２には、休暇申請者及び休暇承認者の似顔絵（２７、３３）を記憶しているが写真等本人（休暇申請者及び休暇承認者）を特定できるものであれば適宜変更できるものとする。
【００１４】
次に休暇承認システム１の使用形態について図４乃至図８に基づいて説明する。
【００１５】
図４は、休暇申請者端末３の表示部１０に表示され、休暇申請者端末３の入力部１４によって休暇申請者の氏名等の休暇申請情報を入力する休暇申請情報入力画面３６である。
休暇申請情報には、有給休暇等の休暇種別３７、休暇申請者の氏名、社員番号、所属の部署、所属のグループ、休暇期間３８、休暇理由３９の項目を有する。
休暇種別３７の項目には、有給休暇、午前半休、午後半休、特別有給、看護休暇、リフレッシュ休暇、ボランティア休暇、結婚休暇がある。
休暇理由３９の項目は、帰省のため等の休暇するための理由を任意に休暇申請者が休暇申請者端末３の入力部１４で入力する項目である。
休暇申請情報を入力後にＯＫボタン４０を選択する。
【００１６】
図５は、休暇申請者がＯＫボタン４０を選択後に、休暇承認者の表示部１１に表示され、休暇申請者から申請された休暇申請情報及び休暇申請者の似顔絵２７及び休暇を承認するか否かを選択できる休暇承認選択項目４３がある承認選択表示画面４４である。休暇承認者は承認選択表示画面４４を閲覧し、休暇承認者端末４の入力部１５で休暇承認選択項目４３を入力することによって休暇を承認するか否かを選択する。休暇承認選択項目４３は、休暇を承認する時は、ＹＥＳボタン４５を選択し、休暇を却下する時はＮＯボタン４６を選択する。
この承認選択表示画面４４に、テーブルデーター２２から抽出された休暇申請者の似顔絵２７を表示することによって、例えば休暇申請者の氏名２６を見てもその存在を認識することができない程多数の部下（休暇申請者）を抱える上司（休暇承認者）であっても、休暇申請者の氏名２６及び休暇申請者の似顔絵２７を見ることによって一目で部下の存在を認識することができ、休暇承認者が休暇を承認する作業の手助けになるという効果がある。
また、承認選択表示画面４４は、休暇の申請に対して承認するメッセージを休暇承認者端末４の入力部１５から入力できる承認メッセージ入力欄４７を有する。
【００１７】
図６は、休暇承認者が休暇を承認するＹＥＳボタン４５を選択した時に、休暇申請者端末４の表示部１１に表示される掲示用用紙（５、７５）を発行するか否かを選択する掲示用用紙発行選択画面５０である。この掲示用用紙発行選択画面５０は、用紙発行を選択するＹＥＳボタン５１と、用紙発行をしないＮＯボタン５２と、を有する。
また、掲示用用紙発行選択画面５０は、掲示用用紙（５、７５）に「ご協力ありがとうございます！」等の他者に対するメッセージを記入する掲示用用紙メッセージ入力欄５３と、休暇期間等の休暇申請情報を確認する承認内容確認項目５４を有する。
【００１８】
図７は、休暇承認者が休暇を却下するＮＯボタン４６を選択した時に、休暇承認者端末４に表示される休暇申請者からの休暇の申請を却下する理由を休暇承認者端末４の入力部１５によって入力する却下理由入力画面５７である。この却下理由入力画面５７は、休暇の日にちを移動してください等、却下の理由を記載する却下理由入力欄５８を有し、休暇申請情報及び休暇申請者の似顔絵２７が表示される。
却下理由入力画面５７に休暇承認者端末４で入力後は、ＯＫボタン５９を選択する。
【００１９】
図８は、却下理由入力欄５８に入力し、ＯＫボタン５９を選択後に、休暇承認者からの休暇の申請を却下する理由を休暇申請者端末３に表示する却下理由表示画面６２である。この却下理由表示画面６２の表示によって、休暇申請者は却下の理由（却下理由）を閲覧でき、休暇申請者と休暇承認者の間で双方納得の上休暇を取得することを促進できる。
【００２０】
次に、印字装置６によって発行する掲示用用紙について図９に基づいて説明する。
【００２１】
図９の掲示用用紙５は、承認選択表示画面４４で休暇承認者が休暇を承認するＹＥＳボタン４５を選択し、掲示用用紙発行選択画面５０で休暇申請者がＹＥＳボタン５１を選択した時に、印字装置６で発行する休暇を休暇承認者から承認されたことを表示した印字物のことであって、休暇申請者の氏名６５、休暇申請者の似顔絵６６、休暇申請者の部署６７、休暇申請者のグループ６８、休暇種別６９、休暇期間７０、掲示用用紙メッセージ７１、休暇承認者の氏名７２、休暇承認者の似顔絵７３、承認メッセージ７４を表示している。
掲示用用紙メッセージ７０は、休暇を取得するに当り、他者に対するメッセージのことである。
この掲示用用紙５により、他者が休暇申請者の申請した休暇を休暇承認者が承認したことを確認でき、更に休暇申請者及び休暇承認者の似顔絵が表示しているため、他者が一目で誰が誰の休暇を承認したのかが分かり易くなっている。
【００２２】
図１０は掲示用用紙の別の実施の形態の平面図である。
【００２３】
図１０の掲示用用紙７５は、承認選択表示画面４４で休暇承認者が休暇を承認するＹＥＳボタン４５を選択し、掲示用用紙発行選択画面５０で休暇申請者がＹＥＳボタン５１を選択した時に、印字装置で発行する休暇を休暇承認者から承認されたことを表示した印字物のことであって、休暇申請者の姓（苗字）７６、休暇申請者の役職７７、休暇申請者の似顔絵７８、休暇申請者の部署７９、休暇申請者のグループ８０、休暇種別８１、休暇期間８２、掲示用用紙メッセージ８３、休暇承認者の姓（苗字）８４、休暇承認者の役職８５、休暇承認者の似顔絵８６、承認メッセージ８７を表示している。
この掲示用用紙７５は休暇申請者及び休暇承認者の役職名が表示しているため、承認する権限がある者（休暇承認者）が休暇申請者を承認したことを他者が確認し易いという効果がある。
【００２４】
本発明に係る休暇申請システム１の動作を図３のフローチャートに基づいて説明する。
【００２５】
ＳＴＥＰ１は、休暇申請情報入力画面３６が休暇申請者端末３に表示される（入力画面表示手段）。
ＳＴＥＰ２は、休暇申請者が休暇申請情報入力画面３６の各項目（休暇種別３７、休暇期間３８等）に休暇申請者端末３の入力部１４を使用して入力する。
ＳＴＥＰ３は、休暇申請者が休暇申請情報入力画面３６を入力後にＯＫボタン４０を選択する。
ＳＴＥＰ４は、休暇申請者から休暇申請情報が入力されると、テーブルデーター２２から休暇申請者に対応した休暇承認者及び休暇申請者の似顔絵（２７、３３）を抽出する（承認選択画面抽出手段）。
ＳＴＥＰ５は、テーブルデーター２２で休暇申請者に対応した休暇承認者及び休暇申請者の似顔絵（２７、３３）が抽出されると、サーバー装置２は休暇承認者端末に休暇申請者から休暇申請がされていることを通知する（通知手段）。
ＳＴＥＰ６は、休暇承認者端末４に休暇申請者から申請された休暇申請情報及び休暇を承認するか否かを選択できる休暇承認選択項目４３を有する承認選択表示画面４４が表示される（休暇申請情報表示手段及び休暇承認選択手段又は承認選択表示手段）。
ＳＴＥＰ７は、休暇承認者が休暇承認者端末４の入力部１５で、休暇承認選択項目４４で休暇を承認するか否かを決定する。休暇を承認するときは、ＹＥＳボタン４５を選択すると、ＳＴＥＰ８に移行する。休暇を却下するときはＮＯボタン４６を選択するとＳＴＥＰ１３に移行する。
ＳＴＥＰ８は、休暇承認選択項目４４のＹＥＳボタン４５を選択したときに、休暇申請者端末３の表示部１０に表示され、掲示用用紙（５、７５）を発行するか否かを選択する掲示用用紙発行選択画面５０である。掲示用用紙発行を選択するときはＹＥＳボタン５１を選択すると、ＳＴＥＰ９に移行する。掲示用用紙発行を選択しないときは、ＮＯボタン５２を選択し、休暇申請システム１が終了する。
また、休暇承認選択項目４３を選択する前に、休暇申請者は、「ご協力ありがとうございます！」等の他者に対するメッセージを掲示用用紙（５、７５）に表示させる掲示用用紙メッセージ入力欄５３にメッセージを入力しても良い。
ＳＴＥＰ９は、掲示用用紙発行を選択するＹＥＳボタン５１を選択した後に、サーバー装置２は、掲示用用紙（５、７５）（印字物）を印字装置６で発行するための掲示用用紙データーを生成する（掲示用用紙データー生成手段）。
ＳＴＥＰ１０は、サーバー装置２で生成した掲示用用紙データーを通信部からネットワーク７を介して、印字装置６に送信する（通信手段）。
ＳＴＥＰ１１は、印字装置６がネットワーク７を介してサーバー装置２から送信された掲示用用紙データーを受信する。
ＳＴＥＰ１２は、印字装置６が掲示用用紙データーを受信すると掲示用用紙（５、７５）を印字する。
ＳＴＥＰ１３は、ＳＴＥＰ７（承認選択表示画面４４）で休暇承認者が休暇を却下し、ＮＯボタン４６を選択したときに休暇承認者端末４の表示部１１に表示され、休暇申請者からの休暇の申請を却下する理由を休暇承認者端末４の入力部１５によって入力する却下理由入力画面５７である（却下理由入力画面表示手段）。
ＳＴＥＰ１４は、休暇承認者が休暇承認者端末４の入力部１５で休暇を却下する理由を却下理由入力欄５８に入力する。
ＳＴＥＰ１５は、却下理由入力欄５８に休暇の申請に対する却下の理由（却下理由）を入力後に、ＯＫボタン５９を選択する。
ＳＴＥＰ１６は、休暇申請者端末３に、却下理由を表示する（却下理由表示画面６２、却下理由表示手段）。
【００２６】
上述したように、本発明の休暇申請システムは、休暇の申請及び休暇の承認が円滑に出来ると共に、休暇承認者に休暇が承認されたことや休暇の理由等を他者に対して掲示できる掲示用用紙を発行するため、休暇申請者が他者から理解され休暇を取得することを促進できる。
また、本発明の休暇申請システムは、休暇申請者端末及び休暇承認者端末に特別なソフトウェアをインストールせずに使用できるＡＳＰシステムであることが好ましい。
【００２７】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２８】
【図１】本発明に係る休暇申請システムの実施の形態の構成を示すシステム構成図である。
【図２】図２は、サーバー装置に記憶されたテーブルデーターの構成を示すデーター図である。
【図３】本発明に係る休暇申請システムの動作を説明するためのフローチャートである。
【図４】休暇申請情報を入力する画面例を示す図である。
【図５】休暇申請情報の閲覧及び休暇承認選択項目を選択する画面例を示す図である。
【図６】掲示用用紙を発行するか否か選択する画面例を示す図である。
【図７】却下理由を入力する画面例を示す図である。
【図８】却下理由を閲覧する画面例を示す図である。
【図９】掲示用用紙を示す平面図である。
【図１０】掲示用用紙の別の実施の形態を示す平面図である。
【符号の説明】
【００２９】
１      休暇申請システム
２      サーバー装置
３      休暇申請者端末
４      休暇承認者端末
５      掲示用用紙
６      印字装置
７      ネットワーク
１０    表示部（休暇申請者端末）
１１    表示部（休暇承認者端末）
１４    入力部（休暇申請者端末）
１５    入力部（休暇承認者端末）
１８    端末本体（休暇申請者端末）
１９    端末本体（休暇承認者端末）
２２    テーブルデーター
２５    社員番号
２６    氏名（休暇申請者）
２７    似顔絵（休暇申請者）
２８    役職（休暇申請者）
２９    部署（休暇申請者）
３０    グループ（休暇申請者）
３１    氏名（休暇承認者）
３２    役職（休暇承認者）
３３    似顔絵（休暇承認者）
３６    休暇申請情報入力画面
３７    休暇種別
３８    休暇期間
３９    休暇理由
４０    ＯＫボタン
４３    休暇承認選択項目
４４    承認選択表示画面
４５    ＹＥＳボタン
４６    ＮＯボタン
４７    承認メッセージ入力欄
５０    掲示用用紙発行選択画面
５１    ＹＥＳボタン
５２    ＮＯボタン
５３    掲示用用紙メッセージ入力欄
５４    承認内容確認項目
５７    却下理由入力画面
５８    却下理由入力欄
５９    ＯＫボタン
６２    却下理由表示画面
６５    氏名（休暇申請者）
６６    似顔絵（休暇申請者）
６７    部署（休暇申請者）
６８    グループ（休暇申請者）
６９    休暇種別
７０    休暇期間
７１    掲示用用紙メッセージ
７２    氏名（休暇承認者）
７３    似顔絵（休暇承認者）
７４    承認メッセージ
７５    掲示用用紙
７６    姓（休暇申請者）
７７    役職（休暇申請者）
７８    似顔絵（休暇申請者）
７９    部署（休暇申請者）
８０    グループ（休暇申請者）
８１    休暇種別
８２    休暇期間
８３    掲示用用紙メッセージ
８４    姓（休暇承認者）
８５    役職（休暇承認者）
８６    似顔絵（休暇承認者）
８７    承認メッセージ
【図１】
2008276417.tif 000003
【図２】
2008276417.tif 000004
【図３】
2008276417.tif 000005
【図４】
2008276417.tif 000006
【図５】
2008276417.tif 000007
【図６】
2008276417.tif 000008
【図７】
2008276417.tif 000009
【図８】
2008276417.tif 000010
【図９】
2008276417.tif 000011
【図１０】
2008276417.tif 000012